(57)【要約】【課題】  台輪１の内部に、極めてわかり難い状態で隠し収納ボックス３を設けて、大切な物を発見されないように隠す。【解決手段】仏壇は、上部に仏壇本体６を、下部に台輪１を有する。台輪１は、前後に引き出しできる引出し２備える。台輪１は、引出し２の上方にスペースを設けて、このスペースに、物を出し入れできる隠し収納ボックス３を設けている。【選択図】図１
0003104871.tif 000002
【実用新案登録請求の範囲】
【請求項１】
上部に仏壇本体(6)を、下部に台輪(1)を有する仏壇であって、台輪(1)が、前後に引き出しできる引出し(2)備えると共に、この引出し(2)の上方にスペースを有し、台輪(1)のスペースに、物を出し入れできる隠し収納ボックス(3)を設けてなることを特徴とする仏壇。
【請求項２】
台輪(1)が、引出し(2)を収納する中空部の上方に、下側を開口してスペースを設けて、このスペースに隠し収納ボックス(3)を配設しており、台輪(1)から引出しを引き出した状態で、中空部の前面開口部から隠し収納ボックス(3)に収納物を出し入れするようにしてなる請求項１に記載される仏壇。
【請求項３】
台輪(1)が下段部(1B)と上段部(1A)からなる多段形状であって、下段部(1B)の内部に中空部を設けて引出し(2)を配設すると共に、上段部の内部にスペースを設けて隠し収納ボックス(3)を配設してなる請求項２に記載される仏壇。
【請求項４】
隠し収納ボックス(3)が、手前部を上下に移動できるように傾動可能な状態で台輪(1)の内部に配設されており、さらに、台輪(1)の内部には、隠し収納ボックス(3)の手前部を上昇位置に停止させるストッパ(5)を設けている請求項１に記載される仏壇。
【請求項５】
隠し収納ボックス(3)が、傾動する状態で前後に引き出しできるように台輪(1)のスペースに配設されている請求項１に記載される仏壇。
【考案の詳細な説明】
【技術分野】
【０００１】
本考案は、仏壇の改良に関し、とくに、隠し収納ボックスを設けてなる仏壇に関する。
【背景技術】
【０００２】
台輪に、収納部を設けた仏壇は開発されている。（特許文献１参照）
【特許文献１】実開平４−７８１８
【考案の開示】
【考案が解決しようとする課題】
【０００３】
特許文献１の公報に記載される仏壇は、台輪に収納部を設けている、この仏壇は、台輪の上に載せている下台に引出しを設けている。台輪と下台からなる仏壇の下部構造は、大きなスペースがあるので、ここに設ける引出しは収納容量を大きくできる。ただ、台輪と下台からなる下部構造は相当に大きいので、ひとつの引出しを設けると、大き過ぎて便利に使用できない。この弊害を避けるために、特許文献１に記載する仏壇は、下台に引出しを設けて、台輪に収納部を設けている。台輪の収納部は、下台の引出しを奥に押し込んだ状態で上方を開口して、物を出し入れできるようにしている。ただ、台輪の収納部は、引出しを押し込んだ状態では上方を開口するので、隠し収納部としては使用できない。収納部の上方開口部を底板で閉塞して、引出しを押し込んだ状態で見えないようにはできる。ただ、引出しを押し込んだ状態で、さらに下部に収納部があることがは推測されるので、大切な物を隠すための隠し収納部としては使用できない。
【０００４】
本考案は、従来の仏壇が有するこのような欠点を解決するために考案されたもので、本考案の重要な目的は、台輪の内部に、極めてわかり難い状態で隠し収納ボックスを設けて、大切な物を発見されないように隠すことができる隠し収納ボックスを設けてなる仏壇を提供することにある。
【課題を解決するための手段】
【０００５】
この考案の仏壇は、台輪１の上に仏壇本体を載せて、上部に仏壇本体を下部に台輪１を設けている。台輪１は、前後に引き出しできる引出し２備える。さらに、台輪１は、引出し２の上方にスペースを設けている。このスペースは台輪１の前板と両側の側板で囲まれた領域にあるので、引出し２を引き出し、あるいは引き抜いても、スペースがあることは外部から判らない。台輪１に設けている外部から確認できないスペースに隠し収納ボックス３を設けている。
【０００６】
本考案の請求項２の仏壇は、台輪１に、引出し２を収納する中空部を設け、この中空部の上方に、下側を開口しているスペースを設けている。このスペースに隠し収納ボックス３を配設している。台輪１から引出し２が引き出されると、中空部の前面が開口される。この開口部から、台輪１内のスペースに配置している、隠し収納ボックス３に収納物を出し入れする。
【０００７】
本考案の請求項３の仏壇は、台輪１を下段部１Ｂと上段部１Ａからなる多段形状としている。下段部１Ｂの内部には中空部を設けて引出し２を配設している。上段部１Ａの内部にはスペースを設けて、ここに隠し収納ボックス３を配設している。
【０００８】
本考案の請求項４の仏壇は、手前部を上下に移動させる状態で傾動可能なようにに台輪１の内部に配設されている。この構造は、たとえば、隠し収納ボックス３の奥部を蝶番４で台輪１の天板に連結して実現できる。さらに、台輪１の内部には、隠し収納ボックス３の前部を上昇位置に停止させるストッパ５を設けている。
【０００９】
さらに、本考案の請求項５の仏壇は、傾動させる姿勢で、前後に引き出しできるように台輪１のスペースに隠し収納ボックス３を配設している。
【考案の効果】
【００１０】
この考案の仏壇は、台輪の内部に、極めてわかり難い状態で隠し収納ボックスを設けて、大切な物を発見されないように隠すことができるる。とくに、侵入者が想像もできない場所に隠し収納ボックスを設けているので、大事な物、たとえば、現金や通帳等を盗難等から有効に防止して保護できる特徴がある。それは、この考案の仏壇が、前後に引き出しできる引出しを台輪に設けると共に、この引出しの上方にスペースを設けて、このスペースに隠し収納ボックスを設けているからである。この状態で台輪に設けている隠し収納ボックスは、台輪の引出しを引き出しても見えない。ただ、引出しを引き出して物を出し入れすることができる。
【考案を実施するための最良の形態】
【００１１】
以下、本考案の実施例を図面に基づいて説明する。ただし、以下に示す実施例は、本考案の技術思想を具体化するための仏壇を例示するものであって、本考案は仏壇を以下のものに特定しない。
【００１２】
さらに、この明細書は、実用新案登録請求の範囲を理解しやすいように、実施例に示される部材に対応する番号を、「実用新案登録請求の範囲」および「課題を解決するための手段の欄」に示される部材に付記している。ただ、実用新案登録請求の範囲に示される部材を、実施例の部材に特定するものでは決してない。
【００１３】
図１と図２に示す仏壇は、仏壇本体６と台輪１との間に下台７を設けている。すなわち、台輪１の上に下台７を載せ、下台７の上に仏壇本体６を載せている。この構造の仏壇は、下台７と台輪１とが一体構造となり、下台７の上に仏壇本体６を載せている。ただ、仏壇本体６と下台７と台輪１とを別構造として、上に載せることもでき、また下台７と仏壇本体６とを一体構造として、台輪１に載せる構造とすることもできる。台輪１とを備える。仏壇本体６は下部に下台７を備える。一般的な仏壇は、仏壇本体６の下台７とと台輪１とを下台７とを別体として、下台７の上に仏壇本体６を載せる構造としている。さらに、仏壇本体６と下台７と台輪１とを一体的に固定する構造とし、あるいは下台７を設けない構造とすることもできる。
【００１４】
仏壇本体６は、内部に仏具や位牌等を収納するもので従来からすでに使用され、あるいは、これから開発される全ての構造のものが使用できる。
【００１５】
下台７は、仏壇本体６よりも多少低く形成される。下台７は、引出し（図示せず）と引戸（図示せず）からなる収納スペースのある収納部を設けている。このように、下台７に引出しと引戸をからなる収納部を備える仏壇は、この収納部を収納スペースとして種々の物を便利に収納できる。ただ、下台７の収納部は、引出しと引戸の両方を備える必要はなく、引出しのみとし、あるいは引戸のみとすることもできる。また、本考案の仏壇は、必ずしも下台７に収納部を設ける必要はなく、たとえば、台輪の上に仏壇本体を固定した構造とすることもできる。
【００１６】
図の台輪１は、複数の段差形状としている。図に示す台輪１は、ひも台８の上に、下段部１Ｂと上段部１Ａを積層しており、下段部１Ｂを上段部１Ａよりも外側に突出させる２段形状としている。ただ、台輪１は、図示しないが、３段以上の段差部を備える段差形状とし、あるいは１段形状とすることもできる。
【００１７】
さらに、台輪１は、前後に引き出しできる引出し２を設けている。図に示す２段の台輪１は、下段部１Ｂの内側の中空部に引出し２を設けている。台輪１は、両側に側面板９を配置すると共に、背面を背面板（図示せず）で閉塞している。台輪１は下段部１Ｂの内側に中空部を設けて、この中空部に引出し２を入れている。引出し２は、上方を開口している箱形で、前面に前面板２Ａを固定している。引出し２は、側板の前端に前面板２Ａを固定している。図の引出し２は、一対の側板の後端に背面板２Ｂを、前面に前面板２Ａを固定すると共に、これらの下面に底板２Ｃを固定して全体を箱形に成形している。引出し２の前面板２Ａは台輪１と同じ材質としており、引出し２を中空部に収納した状態で、前面板２Ａが中空部の前面開口部を閉塞して、台輪１の下段部１Ｂの前面を装飾するようにしている。この引出し２は、前面板の高さを下段部１Ｂの高さと等しくして、引出し２の前面板を目立たなくして外観を良くしている。さらに、引出し２は、前面板の両端を下台７の側板よりも両側に突出させて、その幅を下段部１Ｂの幅と等しくして、さらに目立たなくしている。ただ、引出し２の前面板は、下段部１Ｂの幅より狭くすることもできる。
【００１８】
さらに、台輪１は、引出し２を収納する中空部の上方に、下方を開口しているスペースを設けている。図の台輪１は、上段部１Ａを、両側面部と背面部と前面部と互いに連結してなる枠形状としており、この上段部１Ａの内側にスペースを設けている。上段部１Ａの外形は、下段部１Ｂの外形よりも小さく成形されており、台輪１を段差形状としている。枠形状である上段部１Ａは、下段部１Ｂの上面に固定されると共に、さらに、その上面に配設される収納部によって上面が閉塞される。上段部１Ａを枠形状として上面を閉塞するのは、スペースを下方のみが開口されてなる形状として、中空部に連結するためである。上段部１Ａの内部に形成されるスペースには、隠し収納ボックス３が配設される。
【００１９】
隠し収納ボックス３は、物を出し入れできるように、上方を開口している箱形である。ただし、隠し収納ボックス３は、箱の上方の開口部を、開閉できる上蓋で閉塞する構造とすることもできる。また、隠し収納ボックス３は、上方を開口する箱形で、前面板を低くする形状とすることもできる。上方を開口して、前面板を低くしている隠し収納ボックス３は、台輪１から引き出さない状態で、台輪１の内部で、手前部を向かって下り勾配に傾斜する姿勢に傾動させて、物を出し入れすることができる。
【００２０】
図に示す隠し収納ボックス３は、ガイドレール１０を介して、手前に引出しできるように台輪１に連結している。図のガイドレール１０は、隠し収納ボックス３の両側にあって、その後端を、蝶番４を介して傾動できるように台輪１の天板に連結している。隠し収納ボックス３は、ガイドレール１０に沿って前後に移動できるように連結している。図のガイドレール１０は、隠し収納ボックス３との対向面にガイド溝を有し、このガイド溝を摺動する凸部を隠し収納ボックス３の両側に固定している。収納ボックスはガイドレール１０に沿って前後に引出しでき、また、蝶番４でもって、後端を中心として傾動できるように台輪１の天板に連結している。さらに、隠し収納ボックス３を台輪１の内部で水平に保持するために、台輪１の内部には、隠し収納ボックス３の手前部を上昇位置に停止し、あるいはガイドレール１０の手前部を上昇位置に停止させるストッパ５を設けている。ストッパ５は磁気的な吸着力で、隠し収納ボックス３やガイドレール１０を上昇位置に停止する永久磁石、あるいは係止して、上昇位置に停止させる係止具等が使用される。ストッパ５は、隠し収納ボックス３の上面と、台輪１天板の下面とに設けられて、隠し収納ボックス３やガイドレール１０を上昇位置に停止させる。
【００２１】
隠し収納ボックス３は、引出しできない構造で台輪１のスペースに設けることもできる。この隠し収納ボックス３は、後端を蝶番４で台輪１の天板に連結して、手前部に向かって下り勾配に傾斜する姿勢から水平な姿勢に傾動できるようにする。
【図面の簡単な説明】
【００２２】
【図１】この考案の実施例にかかる仏壇の断面図
【図２】図１に示す仏壇を前後に切断した状態を示す断面図
【図３】台輪の天板にガイドレールを介して隠し収納ボックスを連結する状態を示す側面図
【符号の説明】
【００２３】
１…台輪          １Ａ…上段部      １Ｂ…下段部
２…引出し        ２Ａ…前面板      ２Ｂ…背面板      ２Ｃ…底板
３…隠し収納ボックス
４…蝶番
５…ストッパ
６…仏壇本体
７…下台
８…ひも台
９…側面板
１０…ガイドレール
【図１】
0003104871.tif 000003
【図２】
0003104871.tif 000004
【図３】
0003104871.tif 000005